(57)【要約】【課題】簡易な構造で操作部材が初期位置になるとき発射ストップレバーを非操作状態に保持しつつ、操作不能状態に維持できる遊技機用発射ハンドル及びそれを備えた遊技機を提供する。【解決手段】操作部材９Ｃには、初期位置において発射ストップレバー１６を非操作状態に保持しつつ、操作不能状態に維持するための規制部１９が設けられている。【選択図】図３
2012024381.tif 000002
【特許請求の範囲】
【請求項１】
遊技球を球発射装置から遊技領域へ発射する際に遊技者に回転操作される操作部材の回転量によって発射力を調整する遊技機用発射ハンドルであって、
前記操作部材を初期位置から所定の方向へ回転可能に軸支するハンドル本体と、前記ハンドル本体より外方に突設されて、遊技者に操作されると遊技球の発射動作を規制する発射ストップレバーと、を具備し、
前記操作部材には、初期位置において前記発射ストップレバーを非操作状態に保持しつつ、操作不能状態に維持するための規制部が設けられていることを特徴とする遊技機用発射ハンドル。
【請求項２】
前記発射ストップレバーには係合溝が形成されており、前記規制部が係合溝に嵌り込むことにより前記発射ストップレバーが操作不能に維持される請求項１記載の遊技機用発射ハンドル。
【請求項３】
前記操作部材には、初期位置において前記発射ストップレバーを覆うカバー部が形成されている請求項１又は２記載の遊技機用発射ハンドル。
【請求項４】
請求項１乃至請求項３のいずれか１項記載の遊技機用発射ハンドルを備えたことを特徴とする遊技機。
【発明の詳細な説明】
【技術分野】
【０００１】
本発明は、例えばパチンコ機に用いられる遊技機用発射ハンドルを備えた遊技機に関する。
【背景技術】
【０００２】
パチンコ機の前面枠には球受け皿が設けられており、球受け皿は遊技球を一時的に貯留し、該貯留した遊技球を球発射装置の発射位置へ誘導する。また、前面枠には手前側に突出する遊技機用発射ハンドルが設けられている。この発射ハンドルの操作部材を遊技者が回転操作することにより、球発射装置を作動させ、球受け皿から発射位置に供給された遊技球を駆動源（モータ、ソレノイド等）により駆動する打球槌により打撃して発射レールを通じて遊技領域に向けて発射する。
【０００３】
発射ハンドルが、操作部材が初期位置において発射ストップレバーとの機構的な連繋により発射停止スイッチをＯＮ状態にして、無駄な遊技球の発射を防ぐようになっている遊技機が存在する一方で、操作部材が初期位置に戻った場合の発射停止状態と遊技者の発射ストップレバーの操作による発射停止状態を両立させることで遊技者の利便性を高めるべく、操作部材が初期位置にある状態において発射ストップレバーの位置規制によらずに発射停止動作を制御回路によって制御することで実現している遊技機も提案されている（特許文献１参照）。
【先行技術文献】
【特許文献】
【０００４】
【特許文献１】特開２００５−２７８８２号公報
【発明の開示】
【発明が解決しようとする課題】
【０００５】
特許文献１においては、発射ストップレバーが操作部材の操作位置によらずに常時操作可能な状態にあるため、いたずらされて破損するおそれがある。
また、機構的な連繋により発射停止スイッチをＯＮ状態にして、無駄な遊技球の発射を防ぐようになっている発射ハンドルでは、操作部材と発射ストップレバーとの摩耗が発生し易く、操作状態が維持できなくなったり操作部材が初期位置に戻りきらなくなったりするなどの不具合などが生じるおそれがある。
【０００６】
本発明の目的は、上記従来技術の課題を解決し、簡易な構造で操作部材が初期位置になるとき発射ストップレバーを非操作状態に保持しつつ、操作不能状態に維持できる遊技機用発射ハンドル及びそれを備えた遊技機を提供することにある。
【課題を解決するための手段】
【０００７】
本発明は上記目的を達成するため、次の構成を備えることを特徴とする。
遊技球を球発射装置から遊技領域へ発射する際に遊技者に回転操作される操作部材の回転量によって発射力を調整する遊技機用発射ハンドルであって、前記操作部材を初期位置から所定の方向へ回転可能に軸支するハンドル本体と、前記ハンドル本体より外方に突設されて、遊技者に操作されると遊技球の発射動作を規制する発射ストップレバーと、を具備し、前記操作部材には、初期位置において前記発射ストップレバーを非操作状態に保持しつつ、操作不能状態に維持するための規制部が設けられていることを特徴とする。
【０００８】
また、前記発射ストップレバーには係合溝が形成されており、前記規制部が係合溝に嵌り込むことにより前記発射ストップレバーが操作不能に維持されることを特徴とする。
【０００９】
また、前記操作部材には、初期位置において前記発射ストップレバーを覆うカバー部が形成されていることを特徴とする。
【００１０】
また、遊技機においては、上述した遊技機用発射ハンドルを備えたことを特徴とする。
【発明の効果】
【００１１】
発射ストップレバーは、操作部材が初期位置にあるとき操作部材に設けられた規制部によって非操作状態に保持しつつ、操作不能状態に維持される。
これによって、簡易な構造で操作部材が初期位置になるとき遊技者による発射ストップレバーの操作を不能にするので、不要な操作がなくなり耐久性を向上させ、いたずらによる破損等を未然に防ぐことができる。
【００１２】
発射ストップレバーには係合溝が形成されており、該係合溝に規制部が嵌り込む構成としたので、簡易な構成で操作部材が初期位置にあるときに発射ストップレバーを確実に操作不能状態に維持することができる。
【００１３】
操作部材には初期位置において発射ストップレバーを覆うカバー部が形成されていると、操作部材が初期位置にあるときには発射ストップレバーを遊技者が触れることもできないので、発射ストップレバーをより確実に操作不能状態にすることができ、耐久性が向上する。
【００１４】
また、遊技機に上述した遊技機用発射ハンドルを備えたことにより、ハンドルの安全性・操作性を向上させた有用な遊技機を提供することができる。
【図面の簡単な説明】
【００１５】
【図１】パチンコ機の斜視図である。
【図２】初期位置にある発射ハンドルの正面図及び後方側斜視図である。
【図３】図２（ａ）の矢印Ａ−Ａ断面図及び部分拡大断面図である。
【図４】操作位置にある発射ハンドルの正面図及び後方側斜視図である。
【図５】図４（ａ）の矢印Ｂ−Ｂ断面図及び部分拡大断面図である。
【図６】発射ハンドルの分解斜視図である。
【図７】発射ストップレバーの操作前後の状態を示す一部切欠き説明図である。
【図８】図７（ｂ）の矢印Ｃ−Ｃ方向部分断面図である。
【図９】操作部材の他例を示す部分断面図である。
【００１６】
以下、本発明の実施形態について図面を参照しながら具体的に説明する。図１を参照して本実施形態に係る遊技機の概略構成について説明する。本実施例としては、遊技機の一例としてパチンコ機について説明するものとする。
【００１７】
先ずパチンコ機１の概略構成について説明する。図１において、パチンコ機１の外形をなす外枠２に対して上下に設けられたヒンジ部４により内枠３が開閉可能に取り付けられ、該内枠３の前面を覆う前面枠５がヒンジ部４を中心に開閉可能に取り付けられている。内枠３には前面側に遊技領域が形成される遊技盤が設けられると共に該遊技盤の下方には遊技領域へ向かって遊技球を発射する球発射装置が組み付けられている。前面枠５の上部には、スピーカ６や図示しない装飾装置が設けられている。また、窓部５ａには遊技領域を覆う透明部材（ガラス枠）５ｂが設けられ、該透明部材（ガラス枠）５ｂを通じて遊技領域が視認可能となっている。
【００１８】
また、図１において、前面枠５の下方には貸球や賞球等の遊技球を一時的に貯留し、該遊技球を球発射装置へ誘導する球受け皿７が設けられている。球受け皿７の右側には、球発射装置によって遊技領域へ発射される遊技球の発射力を調節するための発射ハンドル９が設けられている。発射ハンドル９は、前面枠５の一部である前枠取付部１４に回動可能に組み付けられるハンドル基端部９Ａ、ハンドル基端部９Ａに一体に組み付けられるハンドル本体９Ｂ、ハンドル本体９Ｂに回転可能に軸支された操作部材９Ｃで構成されている。球受け皿７の上端部には遊技状態に応じて遊技者が操作する操作スイッチ１０、球受け皿７を開口させて遊技球をドル箱等に排出する球抜きレバー１１，１２などが設けられている。内枠３の後面側上部には貯留タンク１３が設けられている。この貯留タンク１３にはパチンコ機１が配置されたホールの遊技島から遊技球が供給されるようになっている。
【００１９】
次に、遊技機用発射ハンドル９の概略構成について図１を参照して説明する。図１において、発射ハンドル９は、前面枠５の一部を構成する前枠取付部１４に回動可能に組み付けられるハンドル基端部９Ａ、ハンドル基端部９Ａの前面凹部９ａ（図６参照）に一体に組み付けられるハンドル本体９Ｂ、ハンドル本体９Ｂに対して初期位置から所定の方向へ回転可能に軸支された操作部材９Ｃが一体に組み付けられてなる。また、ハンドル基端部９Ａは、前枠取付部１４の前方に突設された解除操作部１５を押動している間だけハンドル基端部９Ａを前枠取付部１４に対して回動させることができるように組み付けられている。また、操作部材９Ｃの外周には、遊技者が指を掛けて操作しやすいように指掛け部９ｃが突設されている。
【００２０】
次に、発射ハンドル９の各部の構成について図２（ａ）（ｂ）乃至図７を参照して説明する。図２（ａ）（ｂ）は初期位置にある発射ハンドル９の正面図及び後方側斜視図である。
【００２１】
図２（ａ）において、操作部材９Ｃは前面側をキャップ９ｂに覆われかつ回転位置を初期位置に保持するように戻りばね２３に常時付勢されたままハンドル本体９Ｂの前面側に回転可能に軸支されている（図６参照）。操作部材９Ｃの初期位置から所定の方向への回転量をポテンショメータ（可変抵抗器）２５（図３参照）により電圧変化として検出して、図示しない球発射装置による遊技球の発射力を調整するようになっている。
【００２２】
図２（ｂ）において、ハンドル本体９Ｂの側面部には発射ストップレバー１６が外方に突設されている。遊技者が操作部材９Ｃの回転操作時に発射ストップレバー１６を押動するとストップスイッチ１７（図３参照）がＯＮ状態になり、図示しない発射制御回路により遊技球の発射動作を規制する。ハンドル本体９Ｂの背面側には、ボス部１８が突設されており、ハンドル基端部９Ａの前面凹部９ａに設けられたボス孔９ｄに嵌め込まれてねじ止めされるようになっている（図６参照）。
【００２３】
図４（ａ）（ｂ）は操作位置にある発射ハンドル９の正面図及び後方側斜視図である。図４（ｂ）に示すように、操作部材９Ｃには、初期位置において発射ストップレバー１６を操作不能状態に維持するための規制部１９が設けられている。規制部１９は、操作部材９Ｃのフレームの一部を後方に延設して形成されている。
【００２４】
また、図５において、操作部材９Ｃの後端側と対向する（近接する）発射ストップレバー１６の前端側には係合溝１６ａが形成されている。発射ストップレバー１６は、ハンドル本体９Ｂ内に設けられた凹部２０にレバー支点部１６ｂが揺動可能に嵌り込んで組み付けられている。発射ストップレバー１６の前端側に突設された起立部１６ｃに設けられた当接部１６ｄがストップスイッチ１７のスイッチレバー１７ａ（板ばね）に常時当接しており、発射ストップレバー１６はレバー支点部１６ｂを支点としてスイッチレバー１７ａの弾発力によって常時外周側へ突出するように付勢されている（図７（ａ）参照）。
【００２５】
操作部材９Ｃが初期位置にあるとき、図３に示すように、規制部１９は発射ストップレバー１６の係合溝１６ａに入り込んだ状態にある。これにより、遊技者が、操作部材９Ｃを回転操作することなく発射ストップレバー１６のみを押動しようとしても規制部１９により発射ストップレバー１６がレバー支点部１６ｂを支点としてハンドル本体９Ｂ側に押し込まれるのを阻止されるため操作不能状態に維持される。
【００２６】
このように、操作部材９Ｃが初期位置にあるとき、簡易な構造で発射ストップレバー１６を操作不能状態に維持することができるので、発射ハンドル９の耐久性を向上させ、いたずらによる破損等を未然に防ぐことができる。
【００２７】
尚、操作部材９Ｃを回転操作すると、規制部１９が係合溝１６ａより外れるため（図５参照）、図８に示すように、発射ストップレバー１６を押動するとレバー支点部１６ｂを支点としてハンドル本体９Ｂ側に揺動させて、当接部１６ｄが当接するスイッチレバー１７ａを押圧してストップスイッチ１７をＯＮ状態にすることで遊技球の発射動作を停止することができる（図７（ｂ）参照）。
【００２８】
上述した発射ハンドル９の組み付け構成の一例について図６を参照して説明する。図６において、ハンドル本体９Ｂの前面側に発射ストップレバー１６のレバー支点部１６ｂを凹部２０（図５参照）に嵌り込むように組み付け、ストップスイッチ１７をスイッチレバー１７ａと当接部１６ｄが当接するように組み付けて、スイッチ押さえ部材２１をねじ２２により固定して組み付ける。その前方より操作部材９Ｃを戻りばね２３により初期位置へ常時付勢するように組み付け前面側をキャップ９ｂで覆って組み付ける。
【００２９】
そして、前枠取付部１４にハンドル基端部９Ａを組み付けた状態で、前面凹部９ａにボス孔９ｄにハンドル本体９Ｂの後端側に突設されたボス部１８を嵌め込むように組み付けてねじ止め固定することにより発射ハンドル９が前面枠５に対して一体に組み付けられる。
【００３０】
また、図９に示すように、操作部材９Ｃには初期位置において発射ストップレバー１６の前方及び側方を覆うカバー部２４が形成されていても良い。
この場合には、操作部材９Ｃが初期位置にあるとき、即ち、規制部１９は発射ストップレバー１６の係合溝１６ａに入り込んだ状態にあるが、この状態をカバー部２４により覆い隠すことにより、遊技者が操作部材９Ｃを回転操作することなく発射ストップレバー１６を触ることすらできないため、初期位置において発射ストップレバー１６をより確実に操作不能状態にすることができ、さらに耐久性の向上を図ることができる。尚、カバー部２４は、発射ストップレバー１６の前方及び側方のみならず後方も覆い隠すようにしても良い。
【００３１】
上述した実施形態では、発射ストップレバー１６は、その後方側が回転可能に軸支され、前方側が揺動するようにしたが、回転軸を前後方向とし左右方向に揺動するようにしても良い。また、スライド方式等を採用しても良い。
【００３２】
また、遊技機用発射ハンドルは、パチンコ機１に備えたものについて説明したが、他の遊技機、例えば雀球遊技機やアレンジボール遊技機などに備えていてもよい。
【符号の説明】
【００３３】
１  パチンコ機  
２  外枠  
３  内枠  
４  ヒンジ部  
５  前面枠  
５ａ  窓部  
５ｂ  透明部材  
６  スピーカ  
７  球受け皿  
９  発射ハンドル  
９Ａ  ハンドル基端部  
９Ｂ  ハンドル本体  
９Ｃ  操作部材  
９ａ  前面凹部  
９ｂ  キャップ  
９ｃ  指掛け部  
９ｄ  ボス孔  
１０  操作スイッチ  
１１，１２  球抜きレバー  
１３  貯留タンク  
１４  前枠取付部  
１５  解除操作部  
１６  発射ストップレバー  
１６ａ  係合溝  
１６ｂ  レバー支点部  
１６ｃ  起立部  
１６ｄ  当接部  
１７  ストップスイッチ  
１７ａ  スイッチレバー  
１８  ボス部  
１９  規制部  
２０  凹部  
２１  スイッチ押さえ部材  
２２  ねじ  
２３  戻りばね  
２４  カバー部
２５  ポテンショメータ（可変抵抗器）
【図１】
2012024381.tif 000003
【図２】
2012024381.tif 000004
【図３】
2012024381.tif 000005
【図４】
2012024381.tif 000006
【図５】
2012024381.tif 000007
【図６】
2012024381.tif 000008
【図７】
2012024381.tif 000009
【図８】
2012024381.tif 000010
【図９】
2012024381.tif 000011